(57)【要約】      （修正有）【課題】ベッドフレームやサイドフェンスなどに、ペットボトルなどの容器を、着脱し易い状態で保持することができる容器ホルダーを提供する。【解決手段】ベッドフレーム等の水平部材Ｆに、当該部材Ｆを抱持した態様で着脱可能に吊下支持される抱持部１と、該抱持部１の下方に当該抱持部１と一体に形成されたペットボトル等の容器を立姿勢で収容して支持できる容器支持部２とを備えた。【選択図】図１
0003151731.tif 000002
【実用新案登録請求の範囲】
【請求項１】
ベッドフレーム等の水平部材に、当該部材を抱持した態様で着脱可能に吊下支持される抱持部と、該抱持部の下方に当該抱持部と一体に形成されたペットボトル等の容器を立姿勢で収容して支持できる容器支持部とを備えたことを特徴とするペットボトル等の容器ホルダー。
【請求項２】
容器支持部は、ベッドフレーム等の水平部材の抱持部から垂設された背当部と、該背当部の下端から前方へ向けて当該背当部と一体に形成された底壁部と、前記背当部の高さ方向中間部の左右側から前方へ向けて当該背当と一体に形成された側壁部とを備えた請求項１のペットボトル等の容器ホルダー。
【請求項３】
容器ホルダーは、プラスチック材の成形、或は、アルミ等の金属材の成形により、各構成部を一体成形した請求項１又は２のペットボトル等の容器ホルダー。
【請求項４】
背当部，底壁部，側壁部は、各部を一体の壁面状に形成した請求項２又は３のペットボトル等の容器ホルダー。
【請求項５】
容器ホルダーを形成する材料には抗菌剤を含ませた請求項３又は４のペットボトル等の容器ホルダー。
【考案の詳細な説明】
【技術分野】
【０００１】
本考案はベッドのフレームやベッドのサイドフェンスなどに着脱可能に取付けて、例えばペットボトルや飲料缶などの容器を、使い易いように保持しておくことができるペットボトル等のホルダーに関する。
【背景技術】
【０００２】
例えば、病院のベッドには、いわゆる頭床台やサイドワゴンが付属して設置され、その内部や上面にベッド使用者（例えば、入院患者など、以下、本明細書では、単に、「使用者」という）が使用したり消費する洗面具，タオル，着替え，食料，飲料などが、収容されたり載置されて保管されている。
【０００３】
しかし、例えばペットボトルが床頭台やサイドワゴンに配置されていると、当該ボトル内の飲料を飲みたいベッド使用者は、いちいちベッドの上に体（上半身）を起こしてそのペットボトルを取って飲料を飲み、再度、そのボトルを床頭台やワゴンの上に戻さなければならないという煩しさがある。
【０００４】
また、ペットボトルや飲料缶がその蓋や栓を外した状態でワゴンなどの上に置かれているとき、誤ってそのボトルや缶を倒してしまうと、中味の飲料がこぼれてしまい、周囲が不衛生になるのみならず、後片着けや清掃をしなければならないという煩しい問題も派生する。しかし乍ら、このような問題に対応できるようなペットボトルなどの容器サポート用品は、先行特許文献の中にも市中でも未だ見当らない。上記のような問題は、一般家庭のベッドや各種の宿泊施設などのベッドにおいても同様である。
【先行技術文献】
【特許文献】
【０００５】
【特許文献１】実用新案登録第３０４５５４３号公報
【特許文献２】実公平６−１２７５１号公報
【考案の概要】
【考案が解決しようとする課題】
【０００６】
本考案は、ペットボトルなどの飲料容器のベッド回りでのサポート状況における上記のような現状や問題点に鑑み、ベッドフレームやサイドフェンスなどに、ペットボトルなどの容器を、着脱し易い状態で保持することができる容器ホルダーを提供することを、その課題とする。
【課題を解決するための手段】
【０００７】
上記課題を解決することを目的としてなされた本考案ホルダーの構成は、ベッドフレーム等の水平部材に、当該部材を抱持した態様で着脱可能に吊下支持される抱持部と、該抱持部の下方に当該抱持部と一体に形成されたペットボトル等の容器を立姿勢で収容して支持できる容器支持部とを備えたことを特徴とするものである。
【０００８】
上記構成の本考案ホルダーにおける容器支持部は、ベッドフレーム等の水平部材の抱持部から垂設された背当部と、該背当部の下端から前方へ向けて当該背当部と一体に形成された底壁部と、前記背当部の高さ方向中間部の左右側から前方へ向けて当該背当部と一体に形成された側壁部とを備えている。
【０００９】
上記構成により、前記底壁部は、ペットボルト等の容器の底を下面から支え、側壁部は当該容器がこのホルダーから横方向に外れるのを防ぎ、このように支持される前記容器を、抱持部と背当部によってベッドフレーム等の水平部材にいつでも使用（飲料）可能に保持することができる。また、フレームなどの水平部材に吊下支持される抱持部は、弾力的にフレームなどの水平部材を抱持するので、いわゆるワンタッチ操作で当該水平部材から着脱することができる。
【００１０】
上記の本考案ホルダーは、プラスチック材の成形、或は、アルミ等の金属材の成形により、各構成部を一体成形することができる。本考案では、前記のような各構成部の一体成形のほか、各構成部をパーツとして形成しておき、当該各パーツを、接着や鋲止めなどにより後から接合する形態で作製することもできる。
【００１１】
また、本考案ホルダーにおける背当部，底壁部，側壁部は、各部を一体の壁面状に形成した形、すなわち、浅い有底の略筒状に形成してもよい。
【考案の効果】
【００１２】
本考案はペットボトルや飲料缶などの飲料容器のホルダーを、ベッドフレーム等の水平部材に、当該部材を抱持した態様で着脱可能に吊下支持される抱持部と、該抱持部の下方に当該抱持部と一体に形成されたペットボトル等の容器を立姿勢で収容して支持できる容器支持部とを備えて形成したので、従来のサイドワゴンなどの上に置いていたためベッドから使用者が上半身を起して前記容器を取ったり置いたりする手間を省くことができるのみならず、容器の転倒などによる中味の散逸や後の掃除の手間を省くことができる。また、フレームなどの水平部材に吊下支持される抱持部は、弾撥力を利用して相手を掴んでいるので、いわゆるワンタッチ操作で容易に着脱ができ、取付けや位置変更を簡便に行うことができる。
【図面の簡単な説明】
【００１３】
【図１】本考案ホルダーをベットフレーム（サイドフェンスフレーム）に係架させた状態の前方側からの斜視図。
【図２】図１の状態の背面側からの斜視図。
【図３】ボトルを収容した状態の前方側からの斜視図。
【図４】図３の状態の背面側からの斜視図。
【考案を実施するための形態】
【００１４】
次に、本考案ホルダーの実施の形態例について、図を参照しつつ説明する。
図１〜図４において、Ｆは、ベッドフレーム又はサイドフェンスなどにおける丸パイプ材による水平部材である。この水平部材Ｆは、角パイプや他の断面形状を持つ部材、或は、中実材であってもよい。また、本考案ホルダーを装着する水平部材Ｆは、上記ベッドフレームやサイドフェンスに限られないこと勿論である。
【００１５】
図において、１は、前記のベッドフレームなどの水平部材Ｆをその上面側から抱持するために、断面を大略Ω状に形成した抱持部で、後述する容器支持部２と一体に、一例としてポリプロピレン材（以下、PPという）により成形されている。なお、前記PPなどの本考案ホルダーの成形に用いる材料には抗菌剤を入れたもの、或は、抗菌剤を塗布したものであることが好ましい。雑菌などの繁殖を防ぐためである。
【００１６】
断面略Ω状の前記抱持部１は、弾撥的な開閉動作をする可動片1aと、後述する容器支持部２と一体にされた固定片1bとから成り、水平部材Ｆの多小の径の違いや断面形状の違いに対応できると共に、水平部材Ｆを、それに引掛けるように抱持させたとき、適宜の挟持力を発揮するようにΩ形断面形状の内径を絞るように成形することが望ましい。
【００１７】
図１において、断面略Ω状の抱持部１の左側に位置した固定片1bには、以下に説明する容器支持部２が一体に形成されている。従って、抱持部１がPPであれば、容器支持部２も通常PPである。
すなわち、容器支持部２は、上記固定片1bから当該片の下方へ垂下形成した背当部2aと、該背当部2aの下端から前方へ突出するように位置付けて一体成形された皿状の底壁部2bと、前記背当部2aのほぼ中間部から前方へ向け内側に弯曲して突出するように形成した腕状の側壁部2cを具備して一体成形により形成されている。
【００１８】
本考案ホルダーでは、上記の抱持部１と容器支持部２の各構成部位の接合部位においては、使用原料の削減や製品重量の軽減、或は、デザイン上の要請などから必要と考えられる、いわゆる肉盗み、具体的には切欠部や穴などが形成されている。
【００１９】
まず、抱持部１と背当部2aの上部の境界には、正面から見て大略口字状の穴3aが形成されている。背当部2aは、左右の両側に正面からみて横向き略台形状の穴3b，3cが形成されていることにより、中心部位に縦方向部21aを有し、その上下に横向きの接続腕部21bと21cが形成されている。そして、下方の皿状をなす底壁部2bの後部と下位の接続腕部21cの間には、穴3dが形成されており、以上により図示した本考案ホルダーBHの一例に形成されている。
【００２０】
図１，図２により説明した上記のような構成を備えた本考案容器ホルダーBHは、例えば図３，図４に例示するようにボトルＢを収容すると、そのボトルＢの底部が、本考案ホルダーBHの皿状底壁部2bに下から支えられ、当該ボトルＢの中間部が、２つの内側に弯曲した腕状の側壁分2c，2cにより抱持されるように支えられるので、人が触れた程度で倒れたり、このホルダーBHから外れることがない。なお、ＣはボトルＢのキャップである。
【００２１】
図に基づいて説明した本考案ホルダーBHの一例は以上の通りであるが、本考案の実施においては、上述したいわゆる肉盗みの各穴3a〜3dの形態は任意の形状であってもよい。また、本考案ホルダーは、各構成部位又は必要な構成部位を個別に作製し、接着やカシメなどによる組立式で形成してもよい。
さらに、ホルダーBHの材質もポリプロピレン以外の合成樹脂や銅やアルミ等のメタル、或は、合成樹脂とメタルのハイブリッド製であってもよい。
なお、本考案ホルダーBHの各構成部は、すべての構成部位、或は、底壁部2bなどの一部を除く構成部位をメッシュ地やパンチングメタル様に形成してもよい。本考案ホルダーは、いずれの場合においても構成部材の端部は丸味を持たせて仕上げ、使用者が不測の怪我などをしない工夫を施すことが望ましい。
【産業上の利用可能性】
【００２２】
本考案は以上の通りであって、従来はベッドサイドワゴンなどの上に置かれていたペットボトル等の容器を、病床ベッドや介護ベッドのサイドフェンス（柵）のフレームなどの水平部材に引掛けた本考案ホルダーに保持させるようにしたから、ペットボトルなどの容器の転倒や落下といった問題は全くなくなる。
【００２３】
また、本考案ホルダーはベッド囲りの水平部材であれば、好みの位置にセットしたり、セット位置を容易に変更することができるので、使用者が飲料を摂取する上で至って楽な動作でその飲料を飲むことができる。
【符号の説明】
【００２４】
１        抱持部
1a        可動片
1b        固定片
２        容器支持部
2a        背壁部
2b        底壁部
2c        側壁部
3a〜3d    穴
【図１】
0003151731.tif 000003
【図２】
0003151731.tif 000004
【図３】
0003151731.tif 000005
【図４】
0003151731.tif 000006